(57)【要約】【課題】透水性を有するペイバーも、目地砂を入れたり埃がかぶっただけでも、透水性が悪くなってしまったりするし、また個々の隣り合わせのペイバー間に段差があって、バリアーフリー性がなくて、ユニバーサルデザイン性に欠けた舗装体が多かった。【解決手段】本発明は、排水性を有するペイバーは勿論のこと、大多数の一般的なペイバーで構成される舗装体に適用できる技術で、ペイバー間に断面が略逆Ｔ字形で鉛直板面に穴を有する成型品の穴を介してコーキング材などの接着剤を介在させ、施工性が良くて、表面が平滑で、排水性が良い排水構造の舗装体にある。【選択図】図３
2012207483.tif 000002
【特許請求の範囲】
【請求項１】
多数のペイバーを敷設して構成する舗装体において、敷設のペイバー間に、断面が略逆Ｔ字形で立ち上がりの鉛直部の正面平板面に穴明部を構成した成型品の穴明部に接着剤を介して隣接のペイバー同士を固着させたことを特徴とする排水構造舗装体。
【請求項２】
多数のペイバーを敷設して構成する舗装体において、敷設のペイバーの十字形交点、Ｔ字形交点に断面が略逆Ｔ字形で上面から見て十字形やＴ字形として、略逆Ｔ字形の成型品を立ち上りの鉛直部の正面から見た平板部の、それぞれに構成した穴明け部に接着剤を介して、隣接するペイバー同士を接着させて交点部を構成したことを特徴とする排水構造舗装体。
【請求項３】
請求項1、２の構成を同時に舗装面全体に敷設したことを特徴とする排水構造舗装体。
【請求項４】
請求項1、請求項2又は請求項3の舗装体に構成し、目地の隙間のある所に排水性が良好な成型部材や不織布を目地の一部に構成するとともに、更に目地のあいた所に砂を構成したことを特徴とする排水構造舗装体。
【発明の詳細な説明】
【技術分野】
【０００１】
本発明は舗装体に関し、道路の歩車道、公園や駅前などの広場、ビル、マンションなどのアプローチを舗装するのに敷設され、施工性に優れていることは勿論、表面の平滑性や強度的にも優れ、雨降りの時の排水性にも優れた排水構造舗装体に関する。
【背景技術】
【０００２】
従来、人通りの多いところや、景観性を重視するような場所では、あらかじめ路盤に砕石などの骨材を敷設しランマーなどで突き固め、その上に砂を敷きならして平滑にした上にコンクリート製のブロックで製作されたペイバーなどを敷設していた。そしてペイバーの廻りは２ミリから７ミリ程度の目地を構成して、その目地に砂を落としこんで、ペイバー同士が当接して割れないように工夫をしていた。
【０００３】
また、最近ではペイバー本体に微細な空隙を作り、透水性を持たせるなどの工夫をしていたが、ペイバーを敷設する時に表面から目地砂を入れると、どうしても微細な空隙の中に砂が入ってしまうし、敷設後も付近からの砂や泥、埃がどうしても微細な空隙を埋めてしまう。そして透水性が大幅に落ちてしまうと元に戻すのは難しかった。
【０００４】
又、ペイバー本体に透水性がないタイプでも、本来目地に入れた砂目地から水を排水させる機能を持っているが、ペイバーの上面から荷重を繰り返し受けている間に目地砂が微粉化してしまい、目づまりしてペイバー間の目地から排水できなくなるということが起こっていた。
【０００５】
特許文献１では、目地から雨水をスムーズに浸透させることにより、無垢のブロックを使用しても十分な透水性が得られ、かつ目づまりが難しく、また、舗装の表層下部に十分な貯水性水槽を設けて舗装表面の水勾配をなくしてバリアーフリーな舗装とし、都市河川の氾濫を防ぎかつ、歩行者に踵にかかるショックを少なくすることができるブロック舗装用強化板をうるにある。とあり、さらにその解決手段として、前後左右に敷設されるブロックの角部の底面に位置させることができるベース板と、このベース板の上面に形成された前後左右に敷設されるブロック間に透水性目地部を形成する十字状の目地板と、前記ベース板の上面に形成された前後左右に敷設されるブロックの底面と当接して該ブロックの底面に貯水槽を形成する複数個の支持片とでブロック舗装用強化板を構成しているとある。
【先行技術文献】
【特許文献】
【０００６】
【特許文献１】特開２００３−１０５７０４
【発明の開示】
【発明が解決しようとする課題】
【０００７】
解決しようとする課題で、特許文献１に記載の上記ペイバーでは、降雨時に水を極力ペイバーの下部に排水する必要があるため、目地砂を使うことを避けている構造となっている。しかしながら、目地砂を使わずにブロック舗装用強化板と言う成型品をペイバー間に装着して施工しても、欠点として、ペイバーの上を歩くと隣接のペイバー同士が成型品の端面のみでの当接となり、大きく揺れ動くことになる。
【０００８】
従って、ペイバーの下面に敷設した敷き砂に大きく食い込み変位して、ガタガタの舗装路面になってしまうのでペイバーが当然欠けたり、割れが発生したりして舗装路面としての体をなさなくなる。
【０００９】
又、舗装用強化板の下部に透水部や貯水部を設けても、わずかな貯水量でしかなく、目的であるヒートアイランド現象の防止や、雨水による水たまりの防止にはほとんど寄与できない。
【発明の概要】
【００１０】
このように解決しようとする課題は、舗装体の施工が簡単で、敷設後その舗装路面の表面が平滑であり、降雨時には排水性が抜群に良くて長期にわたって水たまりも出来ないのは勿論のこと、経年後も基礎の路盤が弱くなっても不同沈下が生じにくいし、バリアーフリー性もあることは勿論、歩行時にクッション性があり疲れないと言う、誰にでも優しいと言うユニバーサルデザイン性のある、理想的な舗装体を提供するための発明である。
【課題を解決するための手段】
【００１１】
請求項１では、多数のペイバーを敷設して構成する舗装体において、敷設のペイバー間に、断面が略逆Ｔ字形で立ち上がり鉛直部の正面平板面に穴明部を構成した成型品の穴明部に接着剤を介して隣接のペイバー同士を固着させたことを特徴とする排水構造舗装体とした。
【００１２】
請求項２では、多数のペイバーを敷設して構成する舗装体において、敷設のペイバーの十字形交点、Ｔ字形交点に断面が略逆Ｔ字形で上面から見て十字形やＴ字形として、略逆Ｔ字形の成型品を立ち上りの鉛直部の正面から見た平板部の、それぞれに構成した穴明け部に接着剤を介して、隣接するペイバー同士を接着させて交点部を構成したことを特徴とする排水構造舗装体とした。
【００１３】
請求項３では、請求項1、２の構成を同時に舗装面全体に敷設したことを特徴とする排水構造舗装体とした。
【００１４】
請求項４では、請求項1、請求項2又は請求項3の舗装体に構成し、目地の隙間のある一部に排水性が良好な成型部材や不織布を目地の一部に構成するとともに、目地のあいている所に砂を構成したことを特徴とする排水構造舗装体とした。
【発明の効果】
【００１５】
本発明の請求項1に記載の発明によれば、多数のペイバーを敷設して構成するインターロッキングや、２００角や３００角、４００角などの各種コンクリート平板舗装体において、敷設のペイバー間のすき間に、断面が略逆Ｔ字形で立ち上がり鉛直部の正面平板面に穴明部を構成したプラスチックスや金属などによる成型品の穴明部に、接着剤を介して隣接のペイバー同士を、成型品と共に固着させることでペイバー間にすき間を設け、排水性の高い舗装体にした。
【００１６】
断面が略逆Ｔ字形で立ち上がり鉛直部の正面平板面に穴明部を構成したプラスチックスや金属などによる成型品の、穴明部に接着剤を介して隣接のペイバー同士を、成型品と共に固着させることで、ペイバーとペイバーの間に２ミリメートルから７ミリメートルの隙間をあけているにも関わらず、強固に固着させることができ、大雨の時この隙間から瞬時に雨を基礎路盤に排水出来るようにした。
【００１７】
また、砕石をランマーなどで突き固めた後、不織布を敷き、その上に砂をランマーなどで突き固めしてペイバーを敷設する。その時略逆Ｔ字形の成型品を接着剤、コーキング剤などを使いながら固着するのであるが、略逆Ｔ字形の床面となる平面部がペイバーの底面を受けることができ、隣のペイバーと平滑面が構成でき、舗装面全体が一体となるので、長期に渡って凸凹の少ない、バリアーフリーでありユニバーサルデザインの平滑な排水性の高い理想的な舗装体になる。
【００１８】
又、コーキング材などの弾性のある接着剤や、エポキシ樹脂のような強固に接合させることができる接着剤を使って、略逆Ｔ字形の成型品の穴を介して成型品と共に固着させると、端部の欠けが発生するのを解消できる。
【００１９】
ペイバー間の隙間は、２ミリメートルから７ミリメートル位がころ合いで、この範囲に限定はしないが、雨水をこの目地から排水させるには２ミリメートル以上欲しいし、７ミリメートル以上になるとハイヒールのカカトが入り込む恐れがあって好ましくないが、敷設される場所によってはこのような条件が必要でない場所もあり、限定されるものではない。
【００２０】
ペイバーの厚みは通常は６０ミリメートル厚の物が数多く使用されている、４０ミリメートルや８０ミリメートル厚であっても、それ以下や以上の厚みであっても何ら差し支えるものではない。
【００２１】
ぺイバーを敷設するための基礎の路盤は、アスファルトの上に不陸調整用の砂を敷設してあったり、砕石を固めた上に砂を敷設してあったり、それらに不織布を必要に応じて介在させても、別のものとの組み合わせてあっても何ら差し支えるものではない。
【００２２】
又、ぺイバーに透水性能を持たせた製品が数多く敷設されているが、ペイバーの上から歩行者や自転車などによる荷重がかかった時ペイバー同士が当接して角が欠けることが良くあるので、ペイバーとペイバーの間に砂目地を入れるのが一般的な施工法である。ペイバーに透水性を持たせるために構成した細かい空隙が、砂目地を入れた時ふさがれてしまう。透水性能を持たせたペイバーも砂目地を入れる施工法では、透水性を維持することは最初から困難なのである。
【００２３】
請求項２では、請求項１では隣り合わせの平行な鉛直面同士を成型品で装着し一体化することとしたが、多数の敷設するペイバーの十字形交点、Ｔ字形交点に断面が略逆Ｔ字形で上面から見て十字形やＴ字形として、略逆Ｔ字形の成型品を立ち上りの鉛直部の正面から見た平板部の、それぞれに構成した穴明け部に接着剤を介して、隣接するペイバー同士を接着させて交点部を構成したことを特徴とする排水構造舗装体とした。
【００２４】
本発明に使用する成型品を十字形交点、Ｔ字形交点に、断面が略逆Ｔ字形で立ち上がり鉛直部の正面平板面に穴明部を構成したそれどれの穴明け部に、接着剤を介して交点を成型品と共に固着させることにしたので、交点の廻りの４つのペイバーが一体となり固着さ
れるので舗装面全体が平滑面になる。こうすることでバリアフリーでユニバーサルデザイン性の高い排水構造舗装体になる。
【００２５】
請求項３では、請求項1、２の構成を同時に舗装面全体に展開した。大型のペイバー、例えば、３００ミリメートル角や４００ミリメートル角、更にはそれ以上の大きさのペイバーに、本発明の断面が略逆Ｔ字形で立ち上がり鉛直部の正面平板面に穴明部を構成した成型品と、上面から見て略逆Ｔ字形の成型品を上面から見て十字形やＴ字形にした成型品を同時に十字形交点、Ｔ字形交点や隣接するペイバー間に接着剤を装着しながら構成した排水構造舗装体とした。
【００２６】
比較的大きくて舗装面上面からの荷重の大きくかかる場所では、ペイバーの大きさに係わらず、請求項1、２の構成を同時に舗装面全体に展開することにした。この発明の場合のペイバーの大きさは３００ミリメートル角程度から更に大きいペイバーを敷設するときに特に有効である。
【００２７】
請求項４では、請求項1、請求項2又は請求項3の舗装体に構成し、目地の隙間のある所に排水性が良好な成型部材や不織布を目地の一部に構成するとともに、更に目地のあいた所に砂を構成したことを特徴とする排水構造舗装体とした。
【００２８】
請求項1、２、３の構成に更に排水性を保ちながら目地砂の補強効果をプラスした構成を発明した。請求項1、請求項２及び３の舗装体の目地の隙間に排水性が良好な成型部材、例えば各種骨材を粟おこし状に固めた成型物や不織布等を目地の一部に構成すると共に、更に目地のあいている部分に砂目地を構成した。
【００２９】
このことは、砂目地の効用を最大限生かしながら、排水性をも確保しようとしたものである。砂目地が流れてしまわないように、特に粟おこし状の成型品や不織布の中に入り込んで目が詰まると排水性も損なわれるので、砂の粒径と成型品の目詰まりや、不織布の粗さとの関係を吟味する必要がある。
【図面の簡単な説明】
【００３０】
【図１】本発明は略逆Ｔ字形成型品１をペイバー間に接着剤7とともに装着している施工途中の斜視図である。
【図２】略逆Ｔ字形成型品１の斜視図である。
【図３】本発明は略逆Ｔ字形成型品４をペイバーの十字交差部に接着剤とともに装着        している施工途中の斜視図である。
【図４】略逆Ｔ字形成型品４の十字交差部タイプの斜視図である。
【図５】本発明の請求項3による施工状態の上面図である。
【図６】ペイバーの十字交差部に接着剤と共に略逆Ｔ字形成型品を装着させたときの上面からの部分拡大図である。
【図７】本発明の請求項４による施工方法の概略図である。
【発明を実施するための形態】
【００３１】
以下、図面に従って本発明を実施するための形態につき、詳細に説明する。
【００３２】
図1の本発明は略逆Ｔ字形成型品１をペイバー２の間に接着剤を装着しながら、挟み込みした施工途中の斜視図である。略逆Ｔ字形成型品１はポリエチレンやポリプロピレンなどのオレフィン樹脂が適当であるが、接着性を重視する時は、ＡＢＳ樹脂やその系統の樹脂、並びにポリカーボネート樹脂などを使用するのが適当である。しかし金属であってもよく、樹脂を特定するものではない。
【００３３】
オレフィン系の樹脂でも略逆Ｔ字形成型品の形状で接着剤７を抱え込むようにしてもいいし、接着が良くなるような処理例えば、表面をフレーム処理等で酸化させる方法もあるので、特別に限定するものではない。
【００３４】
目地６は２ミリメートルから７ミリメートルが適当で、２ミリメートル以下では成型品が１ミリメートル以下となり、接着剤の容積も左右に０，５ミリメートルの厚み程度となるので窮屈な構成となる。７ミリメートル以上になると、ハイヒールのカカトが入り込むこともあるので、好ましい寸法ではない。
【００３５】
図２の略逆Ｔ字形成型品１は、床面受部４のほぼ中央に鉛直に板状で構成し、立ち上り平面部３を構成する。立ち上り平面部３には穴５を多数構成する。この穴５を介して隣り合わせとなるペイバー同士を接着剤７で固着する。
【００３６】
この時、穴５の形状は丸型で例示しているが、当然角型でも網状でも筋条でも何ら
構わないが、成型品１の強度も十分で穴５を介して隣接のペイバー２同士が成型品１と共に一体となるように、使用する接着剤や穴の大きさや形状により吟味する必要がある。そして舗装体の上面がフラットになるように施工しておけば、長期にわたってバリアーフリーでユニバーサルデザインの排水構造舗装体ができるのである。
【００３７】
図３は鉛直部が十字形で、平面板状部に穴５を構成した十字交差部用成型品９を、平面板状部に穴５周辺に接着剤７を装着しながら、ペイバーの十字交差部の目地６に挟み込みしている施工途中の斜視図である。接着剤７が穴５から突出するようにさせながらペイバーの施工を繰り返す。
【００３８】
図４は十字交差部用成型品９の斜視図で、床面受部４の上面に立ち上り平面部３を十字になるように構成している。立ち上り平面部には多数の穴５が構成されている。穴の大きさは２ミリマルから２０ミリマルが適当で、穴５は同じ大きさの穴でもいいが、図のように違った穴の組み合わせであっても何ら差し支えるものではない。
【００３９】
十字交差中心部８はペイバー２の４つの角を突き当てることになるので、この大きさは目地幅を規制することにもなるので重要である。通常目地幅を３ミリメートルにしようとするとき、十字交差部８の寸法は４、５ミリマル程度でいいし、４、５ミリメートル角にしてその一辺のセンターにペイバーのかどが当たるように構成してもよい。
【００４０】
図５は本発明の請求項3による施工状態の上面図である。略逆Ｔ字形成型品１をペイバー２同士が平行に当接する目地６に鉛直に立ち上げた平面部に、穴を介して目地の両側のペイバー２の当接面に接着剤７がつくようにしながら装着する。
【００４１】
この時の接着剤の量はあまり多すぎると目地が開き過ぎになるし、少なすぎても本来の目的とするペイバー同士が一体にならなくなる。略逆Ｔ字形成型品１の大きさやペイバーのおおきさに合わせて量を決める必要がある。更にはペイバー２敷設時の現場の気温により接着剤７の粘度が変わることもあるので、慎重に必要量を決める必要がある。
【００４２】
３００角程度の大きいペイバーになると、平行に当接する面にも略逆Ｔ字形成型品を装着する以外に、四隅に十字交差部用成型品９を装着する。３００角以下の大きさのペイバーでも略逆Ｔ字形成型品だけでは本来の強度、例えば大きな荷重を受ける恐れのあるところや、地盤の悪いところでは、全てでなくても部分的にでもいいが図５ように、四隅にも十字交差部用成型品９を装着するとよい。
【００４３】
図６はペイバーの十字交差部に接着剤と共に略逆Ｔ字形をした成型品で、十字交差部用成型品９を装着させた上面からの部分拡大図である。接着剤７が成型品を中心に両側にほぼ均一に装着されているのが理想的である。その為には成型品に目地間隔がある程度一定になるような工夫、例えば略Ｔ字形成型品の立ち上り平面部３に突出部を両面に設けて、接着剤７を含めた目地間隔を規制しておくと良い。
【００４４】
図７は本発明の請求項４による施工方法の概略図であるが、十字交差部用成型品９をペイバー２の両端末部に接着剤７とともに装着すると共に、ペイバー側面のほぼ中央付近に排水性が良好な成型部材１０や不織布を厚み２ミリメートルから７ミリメートルになるように装着する。この成型部材１０は通常ペイバー一つ当たり４個が理想的であるが、ペイバーの大きさによって成型部材１０の位置や数を調整しても差し支えはない。
【００４５】
この時装着される排水性が良好な成型部材１０は粟おこし状の成型部材で、粒子そのものが透水性能の良いガラス質で高発泡の硬質のパーライトや、すこし柔らかいシラスなどでも良いが、排水性が良ければ他の物でも良いし、これにこだわることはない。
【００４６】
このようにして構成されたペイバー２間の残った隙間６にケイ砂などの砂を入れて、舗装路面上にかかる荷重を十字交差部用成型品９と砂で受けるのである。こうすることで、排水性があって痛みの少ない理想的な排水構造舗装体が構築できる。
【産業上の利用可能性】
【００４７】
本発明は、施工性に優れていることは勿論、ペイバー相互の上面の平滑度が充分であり、また、職人の手に関係がなくペイバー相互間の目地間隙もほぼ均一であり、敷設後にも雨水などにより基礎路盤が弱くなって不同沈下することが少なく、排水性が良いにもかかわらず、長期にわたり構造堅牢な仕上がりになるので、舗装体として多目的に使用できる。
【符号の説明】
【００４８】
１  逆Ｔ字形成型品
２  ペイバー
３  立上り平面部
４  床面受部
５  穴
６  目地
７  接着剤
８  十字交差中心部
９  十字交差部用成型品
１０  排水性が良好な成型部材
【図１】
2012207483.tif 000003
【図２】
2012207483.tif 000004
【図３】
2012207483.tif 000005
【図４】
2012207483.tif 000006
【図５】
2012207483.tif 000007
【図６】
2012207483.tif 000008
【図７】
2012207483.tif 000009